(57)【要約】【課題】コンデンサに応力がかかるのを抑制するとともに、コンデンサが破損するのを抑制することが可能なブラシモータを提供する。【解決手段】このブラシモータ１００は、整流子１３に接触するように設けられるブラシ３１と、接地用リード線３４に接続されている端子３２ｂを有するコンデンサ３２と、ブラシ３１およびコンデンサ３２を収容するブラシホルダ３０と、ブラシホルダ３０を覆うようにブラシホルダ３０と嵌合するモータケース２１と、を備える。また、コンデンサ３２は、接地用リード線３４の一部が、嵌合されたブラシホルダ３０とモータケース２１との間に挟まれることによって接地されている。そして、ブラシホルダ３０は、嵌合時において、モータケース２１から応力を受ける部分３４ａを、モータケース２１が移動する方向とは反対方向側に支持する底部３６ａを含む。【選択図】図４
2019004619.tif 000002
【特許請求の範囲】
【請求項１】
ロータコアおよび整流子を含むロータと、
前記整流子に接触するように設けられるブラシと、
前記ブラシに電力を給電する給電用リード線に接続されている一方端子と、接地用リード線に接続されている他方端子とを有するコンデンサと、
前記ブラシおよび前記コンデンサを収容するホルダと、
前記ロータおよび前記ホルダを覆うように前記ホルダと嵌合する金属ケースと、を備え、
前記コンデンサは、前記接地用リード線の少なくとも一部が、嵌合された前記ホルダと前記金属ケースとの間に挟まれることによって接地されており、
前記ホルダは、前記金属ケースを前記ホルダに嵌合させる際に前記接地用リード線のうちの前記金属ケースから応力を受ける部分を、嵌合時に前記金属ケースが前記ホルダに対して相対的に移動する方向とは反対方向側に支持する支持部を含む、ブラシモータ。
【請求項２】
前記支持部は、前記嵌合時に前記金属ケースが前記ホルダに対して相対的に移動する方向と直交する方向に延びる支持面を含む、請求項１に記載のブラシモータ。
【請求項３】
前記ホルダは、内径側に前記コンデンサが配置される円環形状の第１壁部と、前記第１壁部の外径側に設けられ、前記接地用リード線の、前記コンデンサの前記他方端子と接続されている側とは反対側の端部が差し込まれる第１孔部とを含み、
前記支持部は、前記第１孔部の底部を含む、請求項１または２に記載のブラシモータ。
【請求項４】
前記ホルダは、内径側に前記コンデンサが配置される円環形状の第２壁部を含み、
前記第２壁部の上端面は、一対の切欠き部と、前記一対の切欠き部の間で、かつ、前記第２壁部の外径縁よりも内径側に設けられる突起部を含み、
前記接地用リード線は、前記コンデンサから、前記一対の切欠き部の一方、前記突起部の外径側の前記第２壁部の上端面、および、前記一対の切欠き部の他方を介して前記第２壁部の内径側に配線されており、
前記支持部は、前記突起部の外径側の前記第２壁部の上端面を含む、請求項１または２に記載のブラシモータ。
【請求項５】
前記ホルダは、前記第２壁部の内径側に設けられ、前記接地用リード線の、前記コンデンサと接続されている側とは反対側の端部が差し込まれる第２孔部を含む、請求項４に記載のブラシモータ。
【請求項６】
前記突起部の外径側の前記第２壁部の上端面の径方向の長さは、前記接地用リード線のうち、前記第２壁部の外径縁から外径側に突出する部分の径方向の長さよりも大きい、請求項４または５に記載のブラシモータ。
【発明の詳細な説明】
【技術分野】
【０００１】
本発明は、ブラシモータに関し、特に、接地用リード線に接続されたコンデンサを備えるブラシモータに関する。
【背景技術】
【０００２】
従来、接地用リード線に接続されたコンデンサを備えるブラシモータが知られている（たとえば、特許文献１参照）。
【０００３】
上記特許文献１に記載のＤＣモータは、周方向に配置されたマグネットと、マグネットに対向配置された電機子と、電機子の回転軸に挿入および固定されたシャフトと、電機子と同軸になるようにシャフトに取り付けられたコミテータ（整流子）と、コミテータの外周面に接触する一対のカーボンブラシと、カーボンブラシへの給電に用いられる配線と、を備える。また、上記ＤＣモータは、カーボンブラシを収容するブラシホルダを備えており、ブラシホルダには、ノイズ除去用のコンデンサが配置されている。また、上記ＤＣモータは、金属ケースを備えている。ブラシホルダは、金属ケース内に嵌合されるように配置される。
【０００４】
また、コンデンサの一端と配線の露出部分とは、はんだにより接続されている。また、コンデンサの他端からはリード線が配線されている。コンデンサの他端のリード線は、ブラシホルダの外部に配線され、嵌合された金属ケースとブラシホルダとにより挟まれることにより接地されていると考えられる。
【先行技術文献】
【特許文献】
【０００５】
【特許文献１】特開２０１２−７０５１２号公報
【発明の概要】
【発明が解決しようとする課題】
【０００６】
しかしながら、上記特許文献１のＤＣモータでは、コンデンサのリード線をブラシホルダと金属ケースとにより挟みながらブラシホルダおよび金属ケースを嵌合させることによって、リード線に、ブラシホルダに対する金属ケースの相対的な移動方向に応力がかかる。このため、リード線に接続されているコンデンサにも応力がかかり、コンデンサが破損する場合があるという問題点がある。
【０００７】
この発明は、上記のような課題を解決するためになされたものであり、この発明の１つの目的は、コンデンサに応力がかかるのを抑制するとともに、コンデンサが破損するのを抑制することが可能なブラシモータを提供することである。
【課題を解決するための手段】
【０００８】
上記目的を達成するために、この発明の一の局面におけるブラシモータは、ロータコアおよび整流子を含むロータと、整流子に接触するように設けられるブラシと、ブラシに電力を給電する給電用リード線に接続されている一方端子と、接地用リード線に接続されている他方端子とを有するコンデンサと、ブラシおよびコンデンサを収容するホルダと、ロータおよびホルダを覆うようにホルダと嵌合する金属ケースと、を備え、コンデンサは、接地用リード線の少なくとも一部が、嵌合されたホルダと金属ケースとの間に挟まれることによって接地されており、ホルダは、金属ケースをホルダに嵌合させる際に接地用リード線のうちの金属ケースから応力を受ける部分を、嵌合時に金属ケースがホルダに対して相対的に移動する方向とは反対方向側に支持する支持部を含む。
【０００９】
この発明の一の局面によるブラシモータでは、上記のように、ホルダが、金属ケースをホルダに嵌合させる際に接地用リード線のうちの金属ケースから応力を受ける部分を、嵌合時に金属ケースがホルダに対して相対的に移動する方向とは反対方向側に支持する支持部を含むことによって、接地用リード線が金属ケースから受ける応力が、支持部により受けられるので、接地用リード線に接続されているコンデンサに影響するのを抑制することができる。その結果、接地用リード線に接続されているコンデンサに応力がかかるのを抑制することができるとともに、コンデンサが破損するのを抑制することができる。
【００１０】
上記一の局面によるブラシモータにおいて、好ましくは、支持部は、嵌合時に金属ケースがホルダに対して相対的に移動する方向と直交する方向に延びる支持面を含む。
【００１１】
このように構成すれば、嵌合時に接地用リード線にかかる金属ケースからの応力を面で受けることができるので、接地用リード線に接続されているコンデンサに応力がかかるのを効果的に抑制することができる。
【００１２】
上記一の局面によるブラシモータにおいて、好ましくは、ホルダは、内径側にコンデンサが配置される円環形状の第１壁部と、第１壁部の外径側に設けられ、接地用リード線の、コンデンサの他方端子と接続されている側とは反対側の端部が差し込まれる第１孔部とを含み、支持部は、第１孔部の底部を含む。
【００１３】
このように構成すれば、第１孔部の底部により接地用リード線を支持することによって、接地用リード線に接続されているコンデンサに応力がかかるのを抑制することができるとともに、接地用リード線の端部が第１孔部に差し込まれることによって、第１孔部が延びる方向と直交する方向における接地用リード線の端部の移動を規制することができる。
【００１４】
上記一の局面によるブラシモータにおいて、好ましくは、ホルダは、内径側にコンデンサが配置される円環形状の第２壁部を含み、第２壁部の上端面は、一対の切欠き部と、一対の切欠き部の間で、かつ、第２壁部の外径縁よりも内径側に設けられる突起部を含み、接地用リード線は、コンデンサから、一対の切欠き部の一方、突起部の外径側の第２壁部の上端面、および、一対の切欠き部の他方を介して第２壁部の内径側に配線されており、支持部は、突起部の外径側の第２壁部の上端面を含む。
【００１５】
このように構成すれば、突起部の外径側の第２壁部の上端面により接地用リード線を支持することによって、接地用リード線に接続されているコンデンサに応力がかかるのを抑制することができる。また、支持部が第２壁部の外径側に設けられている場合に比べて、コンデンサから比較的近い位置において接地用リード線を支持部により支持することができるので、コンデンサに応力がかかるのをより効果的に抑制することができる。
【００１６】
この場合、好ましくは、ホルダは、第２壁部の内径側に設けられ、接地用リード線の、コンデンサと接続されている側とは反対側の端部が差し込まれる第２孔部を含む。
【００１７】
このように構成すれば、接地用リード線のうちの上記端部側を第２壁部の内径側に配線することができるとともに、第２孔部により、第２孔部が延びる方向に直交する方向における接地用リード線の上記端部の移動を規制することができる。
【００１８】
上記ホルダが第２壁部を含むブラシモータにおいて、好ましくは、突起部の外径側の第２壁部の上端面の径方向の長さは、接地用リード線のうち、第２壁部の外径縁から外径側に突出する部分の径方向の長さよりも大きい。
【００１９】
このように構成すれば、嵌合時において、接地用リード線のうちの金属ケースから応力を受ける部分のうち、突起部の外径側の第２壁部の上端面により支持されている部分が、第２壁部の上端面により支持されていない部分よりも大きくなる。その結果、嵌合時において、第２壁部の上端面により、接地用リード線のうちの金属ケースから応力を受ける部分をより安定的に支持することができる。その結果、接地用リード線に接続されているコンデンサに応力がかかるのをより確実に抑制することができるとともに、コンデンサが破損するのをより確実に抑制することができる。
【００２０】
なお、本出願では、上記一の局面によるブラシモータにおいて、以下のような構成も考えられる。
【００２１】
（付記項１）
すなわち、上記ホルダが第２孔部を含むブラシモータにおいて、好ましくは、ホルダは、第２壁部とコンデンサとの間に設けられる第３壁部を含み、第２孔部は、第３壁部に設けられている。
【００２２】
このように構成すれば、第３壁部により、コンデンサが第２壁部側へ移動するのを規制することができるとともに、第３壁部に設けられた第２孔部により、第２孔部が延びる方向に直交する方向における接地用リード線の端部の移動を規制することができる。その結果、コンデンサの移動の規制、および、接地用リード線の端部の移動の規制を別個の部材で行う場合よりも部品点数を低減させることができる。
【００２３】
（付記項２）
また、上記ホルダが第１壁部を含むブラシモータにおいて、好ましくは、ホルダは、第１壁部の外周面に設けられ、嵌合時に金属ケースがホルダに対して相対的に移動する方向に延びる溝部を含み、溝部には、接地用リード線のうちの、嵌合されたホルダと金属ケースとの間に挟まれる部分が配置される。
【００２４】
このように構成すれば、接地用リード線がホルダと金属ケースとにより挟まれた場合に、溝部により、溝部が延びる方向に交差する方向（ホルダの周方向）への接地用リード線の移動を規制することができる。
【００２５】
（付記項３）
また、上記ホルダが溝部を含むブラシモータにおいて、好ましくは、第１孔部は、第１壁部の根元近傍に設けられており、溝部は、第１孔部の内側面まで延びている。なお、第１壁部の根元近傍とは、第１壁部の根元の位置そのものと、第１壁部の根元の位置の付近との両方を含む意味である。
【００２６】
このように構成すれば、溝部が第１孔部の内側面まで延びていることによって、第１孔部内の溝部により、溝部が延びる方向に交差する方向に接地用リード線の端部が移動するのを規制することができる。その結果、接地用リード線が金属ケースから受ける応力を、支持部によってより効果的に受けることができる。
【図面の簡単な説明】
【００２７】
【図１】第１および第２実施形態によるブラシモータの全体構成を示す断面図である。
【図２】第１実施形態によるホルダの構成を示す平面図である。
【図３】図２のコンデンサの近傍の部分拡大図である。
【図４】図３の２００−２００線に沿った断面図である。
【図５】第１実施形態による第１孔部および溝部の近傍の斜視図である。
【図６】第１実施形態による第１孔部および溝部の近傍の平面図である。
【図７】第２実施形態によるホルダの構成を示す平面図である。
【図８】図７の突起部および一対の切欠き部の近傍の部分拡大図である。
【図９】図８の４００−４００線（径方向に沿った線）に沿った断面図である。
【図１０】図９の部分拡大図である。
【発明を実施するための形態】
【００２８】
以下、本発明の実施形態を図面に基づいて説明する。
【００２９】
［第１実施形態］
図１〜図６を参照して、第１実施形態によるブラシモータ１００の構成について説明する。なお、本願明細書では、「回転軸方向」とは、ブラシモータ１００の回転軸方向（Ｚ方向）を意味する。また、「径方向」とは、ロータ１０の径方向（半径方向）を意味する。
【００３０】
ブラシモータ１００は、車両の油圧ポンプ等を駆動させるために用いられる。なお、ブラシモータ１００の用途は、これに限られない。
【００３１】
図１に示すように、ブラシモータ１００は、ロータ１０を備える。ロータ１０は、ロータコア１１と、ロータコア１１に巻回される巻線１２（たとえば、エナメル線）と、整流子１３と、を含む。ロータコア１１は、回転軸１４（破線で表示）に固定されている。また、整流子１３も回転軸１４に取り付けられている。また、回転軸１４の一方端側と他方端側とは、それぞれ、軸受け１５ａおよび１５ｂにより支持されている。また、ロータ１０は、ロータコア１１を覆うインシュレータ１６（たとえば、樹脂）を含む。インシュレータ１６は、ロータコア１１と巻線１２とを絶縁するために設けられている。
【００３２】
また、ブラシモータ１００には、ロータコア１１に対向するように配置される永久磁石（ステータ）２０が設けられている。永久磁石２０は、ロータコア１１の外径側に設けられている。
【００３３】
また、ブラシモータ１００には、円筒形状を有する金属製のモータケース２１を備える。永久磁石２０は、モータケース２１の内側面に配置されている。モータケース２１は、ロータ１０および後述するブラシホルダ３０を覆うように配置される。また、モータケース２１は、ブラシホルダ３０と嵌合するように構成されている。なお、ブラシホルダ３０およびモータケース２１は、それぞれ、特許請求の範囲の「ホルダ」および「金属ケース」の一例である。
【００３４】
また、図２に示すように、ブラシモータ１００は、後述するブラシ３１およびコンデンサ３２を収容するブラシホルダ３０を備える。ブラシホルダ３０は、樹脂により成形されている。また、ブラシモータ１００は、整流子１３に接触するように設けられるブラシ３１を備える。ブラシ３１は、２つ設けられており、２つのブラシ３１は一対に構成されている。なお、後述する、コンデンサ３２、給電用リード線３３、接地用リード線３４、インダクタ１０６、および、ねじりばね１０７の各々も、ブラシ３１に対応するように一対に構成されている。以下では、一対に構成されている上記部材の一方についてのみ詳細に説明するが、他方についても同様である。
【００３５】
ブラシ３１は、整流子１３に電力を供給するように構成されている。具体的には、ブラシ３１の内径側の端部が整流子１３に接触することによって、ブラシ３１から整流子１３に電力が供給されている。
【００３６】
また、ブラシホルダ３０には、整流子１３（図１参照）が配置される整流子配置部１０１が設けられている。整流子配置部１０１は、ブラシ３１の内径側に設けられている。また、整流子配置部１０１の内径側には、回転軸１４（図１参照）を挿入するための回転軸孔１０２が設けられている。
【００３７】
また、ブラシモータ１００は、ブラシモータ１００の電気ノイズ除去のために設けられるコンデンサ３２を備える。コンデンサ３２は、ブラシ３１に電力を給電する給電用リード線３３に接続されている端子３２ａ（図３参照）を有する。また、コンデンサ３２は、コンデンサ３２を接地するための接地用リード線３４に接続されている端子３２ｂ（図３参照）を有する。なお、端子３２ａおよび端子３２ｂは、それぞれ、特許請求の範囲の「一方端子」および「他方端子」の一例である。
【００３８】
また、コンデンサ３２の近傍には、壁部１０３が設けられている。回転軸方向から見て、壁部１０３はＬ字形状を有している。壁部１０３は、コンデンサ３２のうちの内径側の部分、および、コンデンサ３２のうちの、後述するコンデンサ１０４側とは反対側の部分の各々に対向するように設けられている。
【００３９】
また、ブラシホルダ３０には、コンデンサ１０４が設けられている。コンデンサ１０４は、コンデンサ３２と同様に、ブラシモータ１００の電気ノイズ除去のために設けられている。コンデンサ１０４は、２つのコンデンサ３２の間に配置されている。また、コンデンサ１０４は、２つのコンデンサ３２の各々の給電用リード線３３に接続されている。また、コンデンサ１０４の近傍には、壁部１０５が設けられている。
【００４０】
また、ブラシホルダ３０には、給電用リード線３３によって構成されるインダクタ１０６が設けられている。インダクタ１０６は、ブラシモータ１００の電気ノイズ対策として設けられている。なお、インダクタ１０６は、コンデンサ３２とブラシ３１との間に配置されている。
【００４１】
また、ブラシホルダ３０には、ねじりばね１０７が設けられている。ねじりばね１０７は、ブラシ３１の外径側の端部の近傍に配置されている。ねじりばね１０７の一方端部は、ブラシ３１の外径側の端部に当接している。これにより、ブラシ３１は、ねじりばね１０７により内径側に押圧されるので、ブラシ３１が摩耗して短くなったとしても、ブラシ３１と整流子１３とを確実に接触させることが可能である。
【００４２】
また、ブラシホルダ３０には、給電用リード線３３に電力を供給する電力端子１０８が設けられている。電力端子１０８からの電力は、ブラシホルダ３０の内部の配線１０８ａ（図１参照）（破線で表示）を介して、給電用リード線３３に供給される。
【００４３】
ブラシホルダ３０は、円環形状の壁部３５を含む。壁部３５は、ブラシホルダ３０の平坦面１０９上にＺ方向に延びるように設けられている。また、ブラシ３１、コンデンサ３２、給電用リード線３３、インダクタ１０６、および、ねじりばね１０７の各々は、壁部３５の内径側に配置されている。電力端子１０８は、壁部３５の外径側に配置されている。また、接地用リード線３４は、壁部３５の内径側に配置されているコンデンサ３２から壁部３５の外径側に配線されている。なお、壁部３５は、特許請求の範囲の「第１壁部」の一例である。
【００４４】
図３に示すように、壁部３５の上端面３５ａは、切欠き部３５ｂを含む。接地用リード線３４は、切欠き部３５ｂを介して、壁部３５の内径側から外径側に配線されている。具体的には、接地用リード線３４は、コンデンサ３２から壁部３５まで延びる部分、壁部３５の内側面に沿ってＺ方向に延びる部分、切欠き部３５ｂを通る部分、および、壁部３５の外周面３５ｃ（図５参照）に沿ってＺ方向に延びる部分を含む。なお、図３では、モータケース２１を破線で表示している。
【００４５】
コンデンサ３２は、接地用リード線３４のうち、壁部３５の外径側に配線されている部分３４ａ（図４参照）の一部が、嵌合されたブラシホルダ３０とモータケース２１との間に挟まれることによって接地されている。モータケース２１をブラシホルダ３０に嵌合させる場合、モータケース２１をＺ２方向側に移動させるので、モータケース２１により部分３４ａにＺ２方向側に応力がかかる。なお、部分３４ａは、Ｚ方向に延びるように設けられている。
【００４６】
また、図４に詳細に示すように、ブラシホルダ３０は、平坦面１０９に設けられる孔部３６を含む。孔部３６は、壁部３５の外径側で、かつ、壁部３５の根元近傍に設けられる。また、孔部３６には、接地用リード線３４の、コンデンサ３２の端子３２ｂと接続されている側とは反対側の端部３４ｂ（部分３４ａのＺ２方向側の端部）が差し込まれる。また、孔部３６は、回転軸方向から見て、円形形状（図６参照）を有している。なお、図４は概略図であり、説明に不要な部材は、簡略化のため、図示を省略している。なお、孔部３６は、特許請求の範囲の「第１孔部」の一例である。
【００４７】
ここで、第１実施形態では、孔部３６の底部３６ａは、モータケース２１をブラシホルダ３０に嵌合させる際に接地用リード線３４のうちのモータケース２１から応力を受ける部分３４ａを、嵌合時にモータケース２１が（ブラシホルダ３０に対して相対的に）移動する方向とは反対方向側に支持するように構成されている。また、底部３６ａは、平坦面である。なお、底部３６ａは、特許請求の範囲の「支持部」および「支持面」の一例である。
【００４８】
詳細には、底部３６ａは、接地用リード線３４の部分３４ａ（端部３４ｂ）のＺ２方向側に設けられている。モータケース２１を嵌合させる前においては、端部３４ｂと底部３６ａとの間には所定の大きさの間隔（たとえば１ｍｍ）が設けられており、モータケース２１を嵌合させることにより、端部３４ｂは底部３６ａ側に移動するとともに底部３６ａに当接する。これにより、部分３４ａ（端部３４ｂ）は、底部３６ａによりＺ１方向側に支持される。
【００４９】
また、第１実施形態では、底部３６ａは、モータケース２１とブラシホルダ３０との嵌合時に、モータケース２１が（ブラシホルダ３０に対して相対的に）移動する方向と直交する方向に延びるように構成されている。具体的には、底部３６ａは、接地用リード線３４の部分３４ａが延びる方向と直交するように設けられている。また、底部３６ａは、ブラシホルダ３０の平坦面１０９が延びる方向に沿って設けられている。
【００５０】
図５に示すように、ブラシホルダ３０は、壁部３５の外周面３５ｃに設けられ、モータケース２１とブラシホルダ３０との嵌合時にモータケース２１が（ブラシホルダ３０に対して相対的に）移動する方向に延びる溝部３７を含む。すなわち、溝部３７はＺ方向に延びるように設けられている。また、溝部３７には、接地用リード線３４のうちの、嵌合されたブラシホルダ３０とモータケース２１との間に挟まれる部分が配置される。また、図６に示すように、回転軸方向から見て、溝部３７は円弧形状を有している。なお、図５および図６では、説明に不要な部材は、簡略化のため図示を省略している。
【００５１】
また、図５および図６に示すように、溝部３７は、孔部３６の内側面３６ｂまで延びている。すなわち、溝部３７は、壁部３５の外周面３５ｃから孔部３６の内部まで延びるように設けられている。
【００５２】
（第１実施形態の効果）
第１実施形態では、以下のような効果を得ることができる。
【００５３】
第１実施形態では、上記のように、ブラシホルダ３０が、モータケース２１をブラシホルダ３０に嵌合させる際に接地用リード線３４のうちのモータケース２１から応力を受ける部分３４ａを、嵌合時にモータケース２１が（ブラシホルダ３０に対して相対的に）移動する方向とは反対方向側に支持する底部３６ａを含むように、ブラシモータ１００を構成する。これにより、接地用リード線３４がモータケース２１から受ける応力が、底部３６ａにより受けられるので、接地用リード線３４に接続されているコンデンサ３２に影響するのを抑制することができる。その結果、接地用リード線３４に接続されているコンデンサ３２に応力がかかるのを抑制することができるとともに、コンデンサ３２が破損するのを抑制することができる。
【００５４】
また、第１実施形態では、上記のように、底部３６ａが、嵌合時にモータケース２１が（ブラシホルダ３０に対して相対的に）移動する方向と直交する方向に延びるように、ブラシモータ１００を構成する。これにより、モータケース２１とブラシホルダ３０の嵌合時に接地用リード線３４にかかるモータケース２１からの応力を面で受けることができるので、接地用リード線３４に接続されているコンデンサ３２に応力がかかるのを効果的に抑制することができる。
【００５５】
また、第１実施形態では、上記のように、ブラシホルダ３０が、内径側にコンデンサ３２が配置される円環形状の壁部３５と、壁部３５の外径側に設けられ、接地用リード線３４の、コンデンサ３２の端子３２ｂと接続されている側とは反対側の端部３４ｂが差し込まれる孔部３６とを含むように、ブラシモータ１００を構成する。これにより、孔部３６の底部３６ａにより接地用リード線３４を支持することによって、接地用リード線３４に接続されているコンデンサ３２に応力がかかるのを抑制することができるとともに、接地用リード線３４の端部３４ｂが孔部３６に差し込まれることによって、孔部３６が延びる方向と直交する方向における接地用リード線３４の端部３４ｂの移動を規制することができる。
【００５６】
また、第１実施形態では、上記のように、ブラシホルダ３０が、壁部３５の外周面３５ｃに設けられ、モータケース２１とブラシホルダ３０との嵌合時にモータケース２１が（ブラシホルダ３０に対して相対的に）移動する方向に延びる溝部３７を含み、溝部３７に、接地用リード線３４のうちの、嵌合されたブラシホルダ３０とモータケース２１との間に挟まれる部分が配置されるように、ブラシモータ１００を構成する。これにより、接地用リード線３４がブラシホルダ３０とモータケース２１とにより挟まれた場合に、溝部３７により、溝部３７が延びる方向に交差する方向（ブラシホルダ３０の周方向）への接地用リード線３４の移動を規制することができる。
【００５７】
また、第１実施形態では、上記のように、孔部３６が、壁部３５の根元近傍に設けられており、溝部３７が、孔部３６の内側面３６ｂまで延びるように、ブラシモータ１００を構成する。これにより、溝部３７が孔部３６の内側面３６ｂまで延びていることによって、孔部３６内の溝部３７により、溝部３７が延びる方向に交差する方向に接地用リード線３４の端部３４ｂが移動するのを規制することができる。その結果、接地用リード線３４がモータケース２１から受ける応力を、底部３６ａによってより効果的に受けることができる。
【００５８】
［第２実施形態］
次に、図１および図７〜図１０を参照して、第２実施形態によるブラシモータ３００の構成について説明する。この第２実施形態では、第１実施形態の構成と異なり、接地用リード線４２の端部４２ｂが壁部４１の内径側に配置されるように、接地用リード線４２が配線されている。なお、図中において、上記第１実施形態と同様の構成には、同じ符号を付して図示するとともに説明を省略する。なお、接地用リード線４２は、ブラシ３１に対応するように一対に構成されている。以下では、一対に構成されている接地用リード線４２の一方についてのみ詳細に説明するが、他方についても同様である。
【００５９】
図７に示すように、ブラシモータ３００（図１参照）は、ブラシ３１およびコンデンサ３２を収容するブラシホルダ４０を備える。ブラシホルダ４０は、円環形状の壁部４１を含む。壁部４１は、ブラシホルダ４０の平坦面１０９上にＺ方向に延びるように設けられている。また、ブラシ３１、コンデンサ３２、給電用リード線３３、インダクタ１０６、および、ねじりばね１０７の各々は、壁部４１の内径側に配置されている。電力端子１０８は、壁部４１の外径側に配置されている。なお、ブラシホルダ４０および壁部４１は、それぞれ、特許請求の範囲の「ホルダ」および「第２壁部」の一例である。
【００６０】
図８に示すように、壁部４１の上端面４１ａは、一対の切欠き部４１ｂを含む。また、壁部４１の上端面４１ａは、一対の切欠き部４１ｂの間で、かつ、壁部４１の外径縁よりも内径側に設けられる突起部４１ｃを含む。具体的には、突起部４１ｃの最外径の部分は、壁部４１の外径縁よりも内径側に位置している。なお、図８では、モータケース２１を破線で表示している。
【００６１】
接地用リード線４２は、コンデンサ３２から、一対の切欠き部４１ｂの一方、突起部４１ｃの外径側の壁部４１の上端面４１ａ（図９参照）、および、一対の切欠き部４１ｂの他方を介して壁部４１の内径側に配線されている。すなわち、接地用リード線４２は、回転軸方向から見てＵ字形状に曲げられることによって、一対の切欠き部４１ｂを介して配線されている。
【００６２】
コンデンサ３２は、接地用リード線４２のうち、突起部４１ｃの外径側の壁部４１の上端面４１ａに配置されている部分４２ａが、嵌合されたブラシホルダ４０（突起部４１ｃ）とモータケース２１との間に挟まれることによって接地されている。モータケース２１をブラシホルダ４０に嵌合させる場合、モータケース２１をＺ２方向側に移動させるので、モータケース２１により部分４２ａにＺ２方向側に応力がかかる。
【００６３】
また、ブラシホルダ４０は、壁部４１とコンデンサ３２との間に設けられる壁部４３を含む。すなわち、壁部４３は、コンデンサ３２のうちの外径側の部分に対向するように設けられている。壁部４３は、壁部４３のうちの外径側の面４３ａが壁部４１に接するように配置されている。
【００６４】
ここで、第２実施形態では、ブラシホルダ４０は、壁部４１の内径側に設けられる孔部４４を含む。孔部４４には、接地用リード線４２の、コンデンサ３２と接続されている側とは反対側の端部４２ｂ（図９参照）が差し込まれる。また、孔部４４は、壁部４３に設けられている。具体的には、孔部４４は、壁部４３の上端面４３ｂからＺ２方向側に窪むように設けられている。また、孔部４４は、回転軸方向から見て、円形形状を有している。なお、孔部４４は、特許請求の範囲の「第２孔部」の一例である。
【００６５】
また、第２実施形態では、図９に示すように、突起部４１ｃの外径側の壁部４１の上端面４１ａは、ブラシホルダ４０とモータケース２１との嵌合時に、部分４２ａをＺ１方向側に支持するように構成されている。具体的には、突起部４１ｃの外径側の壁部４１の上端面４１ａは、Ｚ方向に直交する方向に延びるように構成されている。なお、上端面４１ａは、特許請求の範囲の「支持部」および「支持面」の一例である。なお、図９は概略図であり、説明に不要な部材は、簡略化のため図示を省略している。
【００６６】
また、第２実施形態では、図１０に示すように、突起部４１ｃの外径側の壁部４１の上端面４１ａの径方向の長さＬ１は、接地用リード線４２のうち、壁部４１の外径縁から外径側に突出する部分の径方向の長さＬ２よりも大きい。すなわち、回転軸方向から見て、接地用リード線４２の部分４２ａのうちの半分以上が、突起部４１ｃの外径側の壁部４１の上端面４１ａに重なっている。なお、図１０では、簡略化のため、モータケース２１の図示を省略している。
【００６７】
第２実施形態のその他の構成は、上記第１実施形態と同様である。
【００６８】
（第２実施形態の効果）
第２実施形態では、以下のような効果を得ることができる。
【００６９】
第２実施形態では、上記のように、接地用リード線４２が、コンデンサ３２から、一対の切欠き部４１ｂの一方、突起部４１ｃの外径側の壁部４１の上端面４１ａ、および、一対の切欠き部４１ｂの他方を介して壁部４１の内径側に配線されるように、ブラシモータ３００を構成する。これにより、突起部４１ｃの外径側の壁部４１の上端面４１ａにより接地用リード線４２を支持することによって、接地用リード線４２に接続されているコンデンサ３２に応力がかかるのを抑制することができる。また、壁部４１の外径側において接地用リード線４２を支持する場合に比べて、コンデンサ３２から比較的近い位置において接地用リード線４２を上端面４１ａにより支持することができるので、コンデンサ３２に応力がかかるのをより効果的に抑制することができる。
【００７０】
また、第２実施形態では、上記のように、ブラシホルダ４０が、壁部４１の内径側に設けられ、接地用リード線４２の、コンデンサ３２と接続されている側とは反対側の端部４２ｂが差し込まれる孔部４４を含むように、ブラシモータ３００を構成する。これにより、接地用リード線４２のうちの端部４２ｂ側を壁部４１の内径側に配線することができるとともに、孔部４４により、孔部４４が延びる方向に直交する方向における接地用リード線４２の端部４２ｂの移動を規制することができる。
【００７１】
また、第２実施形態では、上記のように、突起部４１ｃの外径側の壁部４１の上端面４１ａの径方向の長さＬ１が、接地用リード線４２のうち、壁部４１の外径縁から外径側に突出する部分の径方向の長さＬ２よりも大きくなるように、ブラシモータ３００を構成する。これにより、モータケース２１とブラシホルダ４０との嵌合時において、接地用リード線４２のうちのモータケース２１から応力を受ける部分４２ａのうち、突起部４１ｃの外径側の壁部４１の上端面４１ａにより支持されている部分が、壁部４１の上端面４１ａにより支持されていない部分よりも大きくなる。その結果、モータケース２１とブラシホルダ４０との嵌合時において、壁部４１の上端面４１ａにより、接地用リード線４２のうちのモータケース２１から応力を受ける部分４２ａをより安定的に支持することができる。その結果、接地用リード線４２に接続されているコンデンサ３２に応力がかかるのをより確実に抑制することができるとともに、コンデンサ３２が破損するのをより確実に抑制することができる。
【００７２】
また、第２実施形態では、上記のように、ブラシホルダ４０が、壁部４１とコンデンサ３２との間に設けられる壁部４３を含み、孔部４４が、壁部４３に設けられるように、ブラシモータ３００を構成する。これにより、壁部４３により、コンデンサ３２が壁部４１側へ移動するのを規制することができるとともに、壁部４３に設けられた孔部４４により、孔部４４が延びる方向に直交する方向における接地用リード線４２の端部４２ｂの移動を規制することができる。その結果、コンデンサ３２の移動の規制、および、接地用リード線４２の端部４２ｂの移動の規制を別個の部材で行う場合よりも部品点数を低減させることができる。
【００７３】
なお、第２実施形態のその他の効果は、上記第１実施形態と同様である。
【００７４】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７５】
たとえば、上記第１および第２実施形態では、金属ケース（モータケース２１）から応力を受ける部分を支持する支持部（底部３６ａ）が平坦面状である例を示したが、本発明はこれに限られない。たとえば、支持部（底部３６ａ）が線状であってもよい。
【００７６】
また、上記第１および第２実施形態では、支持部（底部３６ａ）が、金属ケース（モータケース２１）が移動する方向と直交する方向に延びる例を示したが、本発明はこれに限られない。たとえば、支持部（底部３６ａ）が、金属ケース（モータケース２１）が移動する方向に対して、湾曲形状を有していてもよい。
【００７７】
また、上記第１および第２実施形態では、金属ケース（モータケース２１）とホルダ（ブラシホルダ３０（４０））との嵌合時に金属ケース（モータケース２１）を移動させる例を示したが、本発明はこれに限られない。たとえば、ホルダ（ブラシホルダ３０（４０））を移動させてもよい。
【００７８】
また、上記第１実施形態では、第１孔部（孔部３６）の底部により、接地用リード線のうちの応力を受ける部分を支持する例を示したが、本発明はこれに限られない。たとえば、接地用リード線の端部が第１孔部（孔部３６）に差し込まれずに、接地用リード線のうちの応力を受ける部分が平坦面１０９により支持されていてもよい。
【００７９】
上記第２実施形態では、コンデンサと第２壁部（壁部４１）との間に第３壁部（壁部４３）が設けられている例を示したが、本発明はこれに限られない。たとえば、第１実施形態においても、コンデンサと第１壁部（壁部３５）との間に壁部を設けてもよい。
【００８０】
上記第２実施形態では、接地用リード線が、第２壁部（壁部４１）の上端面が、一対の切欠き部を含む例を示したが、本発明はこれに限られない。たとえば、第２壁部（壁部４１）の上端面が、３つ以上の切欠きにより構成される切欠き部を含んでいてもよい。
【符号の説明】
【００８１】
１０  ロータ
１１  ロータコア
１３  整流子
２１  モータケース（金属ケース）
３０、４０  ブラシホルダ（ホルダ）
３１  ブラシ
３２  コンデンサ
３２ａ  端子（一方端子）
３２ｂ  端子（他方端子）
３３  給電用リード線
３４、４２  接地用リード線
３４ａ、４２ａ  部分（応力を受ける部分）
３４ｂ、４２ｂ  端部
３５  壁部（第１壁部）
３５ｃ  外周面
３６  孔部（第１孔部）
３６ａ  底部（支持部）（支持面）
３６ｂ  内側面
３７  溝部
４１  壁部（第２壁部）
４１ａ  上端面（支持部）（支持面）
４１ｂ  切欠き部
４１ｃ  突起部
４３  壁部（第３壁部）
４４  孔部（第２孔部）
１００、３００  ブラシモータ
Ｌ１、Ｌ２  長さ
【図１】
2019004619.tif 000003
【図２】
2019004619.tif 000004
【図３】
2019004619.tif 000005
【図４】
2019004619.tif 000006
【図５】
2019004619.tif 000007
【図６】
2019004619.tif 000008
【図７】
2019004619.tif 000009
【図８】
2019004619.tif 000010
【図９】
2019004619.tif 000011
【図１０】
2019004619.tif 000012